(57)【要約】【課題】ユーザが電池切れに気づかなかった場合にも位置情報を利用した店舗位置検索サービスを受けることができる。【解決手段】携帯端末装置は、電池１８の残量電圧を検出する電池残量検出装置１９と、位置情報を検出する位置情報検出装置１４と、地図情報を提供する情報サービスセンターとデータ通信を行う無線通信装置１３とを有する。また、端末装置の場所に近いところで電池１８を充電できる場所の地図情報を取得して表示装置１５に表示する。端末装置の電池１８の残量電圧が少なくて、上記地図情報を表示できない場合には、地図情報をネットワークに接続される他の情報端末で参照できるようにする。【選択図】図２
2009267517.tif 000002
【特許請求の範囲】
【請求項１】
各部に電源電圧を供給するバッテリの残量電圧を検出する残量検出部と、
端末本体の位置情報を検出する位置検出部と、
ネットワークを介して地図情報を提供するサーバとデータ通信を行う通信部と、
前記位置検出部で検出した前記端末本体の位置に近い場所で、前記バッテリの充電が可能な場所の地図情報を前記サーバから取得して表示する表示部と、
前記バッテリの残量電圧により前記地図情報が表示可能か否かを判断し、前記地図情報が表示可能なときに前記地図情報を前記表示部に表示し、前記地図情報が表示不可能なときに前記ネットワークに接続される他の情報端末で前記地図情報を参照可能とする制御部と、
を有する携帯端末装置。
【請求項２】
ネットワークを介して地図情報を提供するサーバと、
各部に電源電圧を供給するバッテリの残量電圧を検出する残量検出部と、装置本体の位置情報を検出する位置検出部と、前記サーバとデータ通信を行う通信部と、前記位置情報の近傍で前記バッテリの充電が可能な場所の地図情報を前記サーバから取得して表示する表示部と、前記バッテリの残量電圧により前記地図情報を表示可能か否かを判断し、前記地図情報を表示可能なときに前記地図情報を前記表示部に表示し、前記地図情報が表示不可能なときに、前記ネットワークに接続される他の情報端末で前記地図情報を参照可能とする制御部と、を有する携帯端末装置と、
前記携帯端末装置で前記地図情報が表示不可能なときに、前記サーバに保存された前記地図情報を参照可能とする、前記ネットワークに接続された前記他の情報端末と、
からなる情報通信システム。
【請求項３】
前記他の情報端末は、前記携帯端末装置の使用者本人であることの確認後に、前記サーバに保存された前記地図情報を取得して参照可能とする請求項２記載の情報通信システム。
【請求項４】
前記他の情報端末は、前記サーバと前記携帯端末装置との最終通信時の前記地図情報を参照可能とする請求項２又は３に記載の情報通信システム。
【請求項５】
前記他の情報端末は、前記地図情報、前記地図情報に含まれる店舗情報及び前記携帯端末装置の位置情報を参照可能とする請求項２〜４のいずれかに記載の情報通信システム。
【請求項６】
携帯端末装置の各部に電源電圧を供給するバッテリの残量電圧を検出するステップと、
ＧＰＳ衛星から提供される前記携帯端末装置本体の位置情報を検出するステップと、
ネットワークに接続してデータ通信を行い、前記ネットワークに接続されるサーバから前記携帯端末装置の前記位置情報に近い場所で、バッテリの充電が可能な場所の地図情報を取得するステップと、
前記バッテリの残量電圧により前記地図情報を前記携帯端末装置で表示可能か否かを判断し、前記地図情報を表示可能なときに前記地図情報を前記携帯端末装置の表示部に表示するステップと、
前記携帯端末装置で前記地図情報を表示不可能なときに前記ネットワークに接続される他の情報端末で前記地図情報を参照可能とするステップと、
を含む情報通信方法。
【発明の詳細な説明】
【技術分野】
【０００１】
本発明は、充電サービス情報を取得する携帯端末装置、情報通信システム及び情報通信方法に関するものである。
【背景技術】
【０００２】
全地球測位システムであるＧＰＳ（Global Positioning System）機能を備えた携帯端末装置が普及している。このＧＰＳ機能により、以下のようにして地図情報を入手できるようにしている。すなわち、携帯端末装置は、ＧＰＳ衛星から検出した端末本体の現在位置の位置情報（緯度、経度）とともに、取得したい地図情報等を、移動体通信ネットワークへ伝送する。そして、この移動体通信ネットワークを介して携帯端末装置の現在位置周辺のデパート、店舗等を含む地図情報を入手する。
【０００３】
ところで、携帯端末装置では電池に応じた容量値により使用可能時間に限界があるため、電池交換や充電をしなければならない。近年、繁華街などでは携帯端末装置用の充電設備を備える店舗があり、この充電設備で充電をすることで外出先における携帯端末装置の電池電圧の低下、いわゆる電池切れに対処することができる。
【０００４】
このため、店舗位置検索サービスシステム及び携帯端末装置を提供する方法が提案されている（特許文献１参照）。この方法では、屋外での使用で電池残量が少なくなったとき、端末装置が自ら自動的に情報サービスセンターへ位置情報を通知して充電サービス店舗に関する情報を携帯端末装置で取得することが可能となる。
【特許文献１】特開２００４−５６５５５号公報
【発明の開示】
【発明が解決しようとする課題】
【０００５】
上述した特許文献１に記載の技術では、電池残量が少なくなったときに端末装置が自ら情報サービスセンターへ位置情報を通知することが可能である。しかしながら、位置情報を通知して、その端末装置で、充電サービス店舗に関する情報を取得した場合でも、電池切れのまま携帯端末装置を放置してしまうと、その端末装置では、電池切れとなって、得られた情報を利用できないケースが考えられる。また、電池切れになってしまうと、位置情報を利用して携帯端末装置を探すこともできないという不都合が発生する。
【０００６】
そこで、本発明は、ユーザが電池切れに気づかなかった場合にも位置情報を利用した店舗位置検索サービスを受けることができる携帯端末装置、情報通信システム及び情報通信方法を提供することを目的とするものである。
【課題を解決するための手段】
【０００７】
上記目的を達成するために、本発明の携帯端末装置は、各部に電源電圧を供給するバッテリの残量電圧を検出する残量検出部と、ＧＰＳ衛星から提供される端末本体の位置情報を検出する位置検出部を備えている。また、通信部により、ネットワークを介して地図情報を提供するサーバとデータ通信を行うとともに、位置検出器で検出した端末本体の位置情報に近い場所で、バッテリを充電可能な場所の地図情報をサーバから取得して表示するようにする。
【０００８】
そして、バッテリの残量電圧により前記地図情報を表示可能か否かを判断し、地図情報が表示可能なときに地図情報を表示部に表示し、地図情報が表示不可能である場合には、ネットワークに接続される他の情報端末で地図情報を参照するようにしている。
【０００９】
また、本発明の情報通信システムは、上述した携帯端末装置に加え、ネットワークを介して地図情報を提供するサーバと、携帯端末装置でＧＰＳを検出することができず、地図情報が表示できない場合に、サーバに保存された地図情報を参照可能とする他の情報端末を備えている。
【００１０】
また、本発明の情報通信方法は、携帯端末装置の各部に電源電圧を供給するバッテリの残量電圧を検出するステップと、ＧＰＳ衛星から提供される携帯端末装置本体の位置情報を検出するステップとを含む。さらに、ネットワークに接続してデータ通信を行い、ネットワークに接続されるサーバから位置情報の近傍でバッテリを充電可能な場所の地図情報を取得するステップと、を含んでいる。
【００１１】
また、バッテリの残量電圧により地図情報を携帯端末装置で表示可能か否かを判断し、地図情報を表示可能なときに地図情報を携帯端末装置の表示部に表示するステップを含んでいる。また、携帯端末装置で地図情報を表示不可能なときにネットワークに接続される情報端末にサーバに保存された地図情報を参照可能とするステップを含んでいる。
【００１２】
本発明によれば、電池残量が少なくなってきた場合に、ＧＰＳ機能を用いて自動的に電池の充電可能な店舗情報などを端末自身が取得できる表示できるだけでなく、携帯端末装置で地図情報を表示不可能なときに、他の情報端末でも地図情報を取得することができる。これにより、電池切れ後の携帯端末装置の所在位置を、他の情報端末を使用して容易に推定することを可能にした。
【発明の効果】
【００１３】
本発明によれば、ユーザが電池切れに気づかなかった場合にも位置情報を利用した店舗位置検索サービスを携帯端末装置で受けることができる。さらに、携帯端末装置で地図情報を表示するための電池残量がないときは、他の情報端末でサーバに保存された位置情報を取得することができる。これにより、所在が不明な携帯端末装置の位置を知ることができるという効果を奏する。
【発明を実施するための最良の形態】
【００１４】
以下、本発明の一実施の形態を、図１〜３を参照して説明する。
図１は、本実施の形態例の通信システムの構成例を示している。図１において、通信システム１は、地図情報及び充電情報サービスシステムの機能を有している。
【００１５】
図１において、通信システム１は、携帯端末装置１０と、ＧＰＳ衛星２０と、移動体通信ネットワーク３０及び公衆網４０に接続される情報サービスセンター５０とを有している。情報サービスセンター５０は店舗情報データベース６０及び地図情報データベース７０を備えている。さらに、通信システム１は、公衆網４０に接続される情報端末８０を有している。
【００１６】
携帯端末装置１０は、携帯電話機、ＰＨＳ（Personal Handy-phone System）電話機、ＰＤＡ（Personal Digital Assistant）装置（携帯電話又はＰＨＳ方式による通信機能を備える）等である。携帯端末装置１０は、ＧＰＳアンテナ１０ａを含むＧＰＳ機能を搭載しているため、ＧＰＳ衛星２０から取得したＧＰＳ情報により自装置１０の位置を知ることができる。なお、ＧＰＳ機能は、携帯端末装置１０に内蔵させてある場合の他に、ＧＰＳ機能を備えた別体のユニットを、端末装置に接続させた構成としてもよい。
【００１７】
さらに、携帯端末装置１０は移動体通信ネットワーク３０を介して無線により通信することができる。この移動体通信ネットワーク３０には公衆網４０を通して情報サービスセンター５０が接続されている。また、この情報サービスセンター５０には店舗情報データベース６０、及び地図情報データベース７０が通信可能に接続されている。
【００１８】
店舗情報データベース６０は、サービス提供地域内にある携帯端末装置１０の充電サービス店舗の名称、位置、営業時間等の店舗情報が予め登録されている。さらに、地図情報データベース７０には、サービス提供地域内の地図情報が登録されている。この地図情報データベース７０の地図情報と、店舗情報データサービス６０の店舗情報とを組み合わせることにより、ある特定の日時に営業中の充電サービス店舗の地図を携帯端末装置１０の表示装置上に表示することが可能になる。
【００１９】
さらに、任意の情報端末８０から公衆網４０を通して、情報サービスセンター５０に接続することができる。情報サービスセンター５０は携帯端末装置１０に提供する地図情報を情報サービスセンター５０内に保存しておく。これにより、携帯端末装置１０の電池切れが発生場合にも、電池が切れる直前に携帯端末装置１０が交信した地図情報を任意の情報端末８０で情報サービスセンター５０にアクセスして参照することができる。
【００２０】
図２は、携帯端末装置１０の構成を示すブロック図である。ここでは、携帯端末装置１０として携帯電話機を用いるものとする。携帯端末装置１０は、制御装置１１、メモリ１２、無線通信装置１３、位置情報検出装置１４、表示装置１５、音声処理装置１６、入力処理装置１７を備える。さらに、携帯端末装置１０は、各部に電源電圧を供給する充電可能な電池１８、この電池１８の電池残量を検出する電池残量検出装置１９を備えている。
【００２１】
無線通信装置１３は、送信回路、受信回路、変復調回路等を備えて構成される。さらに、無線通信装置１３は、移動体通信ネットワーク３０の基地局との接続により通話やデータ伝送を可能にするほか、通信回線を利用して各種サービスへのアクセスを行う。ここで、無線通信装置１３は、図１に示した移動体通信ネットワーク３０及び公衆網４０を介して地図情報を提供する情報サービスセンター５０とデータ通信を行う機能を有している。
【００２２】
制御装置１１は、メモリ１２を使用しながら、携帯端末装置１０内の必要な処理を実行し、全体の動作を管理する。ここで、制御装置１１は、電池１８の残量電圧により地図情報を表示装置１５に表示可能か否かを判断する。ここで、制御装置１１は、地図情報を表示可能なときに地図情報を表示装置１５に表示し、地図情報を表示不可能なときに地図情報を公衆網４０に接続される他の情報端末８０で参照可能とする。
【００２３】
位置情報検出装置１４は、ＧＰＳ機能を備えており、ＧＰＳ衛星２０から検出したデータを装置１０本体の位置情報として変換する。表示装置１５は、液晶表示器を用いて構成され、入力内容、電話番号、各種のサービス内容等を表示する。ここで、表示装置１５は、位置情報の近傍で電池１８を充電可能な場所の地図情報を情報サービスセンター５０から取得して表示する。
【００２４】
音声処理装置１６は、音声に関する処理を行う。入力装置１７は、テンキーや複数の機能キーを備えて構成され、電話番号入力、動作選択等の入力操作に用いられる。電池残量検出装置１９は、電池１８の残量電圧を所定のタイミングにより検出する。
【００２５】
図３は、本実施の形態における地図情報及び充電情報サービスシステムの処理動作を示すフローチャートである。図３のフローチャートは、図１に示した通信システム１の動作を示すものである。
図３において、まず、携帯端末装置１０の電源が投入されると（ステップＳ１）、電池残量検出装置１９は電池１８の残量電圧が所定値以下であるか否かを判断する（ステップＳ２）。この判断は、定期的或いは連続的に行われる。
【００２６】
判断ステップＳ２で、電池残量が所定値以下に達したことが検出されると、電池残量検出装置１９は、この検出結果を制御装置１１に通知する。この通知を受けた制御装置１１は、位置情報検出装置１４にＧＰＳ衛星２０から携帯端末装置１０の位置情報の提供を受けることを指示する。そこで、位置情報検出装置１４は、ＧＰＳ衛星２０から携帯端末装置１０の位置情報を取得する（ステップＳ３）。位置情報検出装置１４は、制御装置１１に取得した携帯端末装置１０の現在地の位置情報を送る。
【００２７】
位置情報の通知を受けた制御装置１１は、無線通信装置１３を介して無線により移動体通信ネットワーク３０と接続する（ステップＳ４）。そして、制御装置１１は、公衆網４０を通じて、携帯端末装置１０の位置情報を情報サービスセンター５０に通知する（ステップＳ５）。
【００２８】
これより、情報サービスセンター５０の動作について説明する。
携帯端末装置１０からその端末位置情報の通知を受けた情報サービスセンター５０は、まず、充電サービス店舗を選択する（ステップＳ６）。すなわち、情報サービスセンター５０は、店舗情報データベース６０から現在営業中の充電サービス店舗の中で、位置情報の通知があった携帯端末装置１０の位置に最も近い充電サービス店舗を選択する。
【００２９】
次に、情報サービスセンター５０は、この充電サービス店舗情報に地図情報を付加する（ステップＳ７）。すなわち、情報サービスセンター５０は、地図情報データベース７０を参照し、携帯端末装置１０の現在位置から選択した充電サービス店舗に至るまでの経路を含む地図情報を付加する。
【００３０】
情報サービスセンター５０は、この充電サービス店舗情報及び地図情報を情報サービスセンター５０内に保存する（ステップＳ８）。これは、任意の情報端末８０から公衆網４０を介して充電サービス店舗情報及び地図情報を参照できるようにするためである。
そして、情報サービスセンター５０は、この充電サービス店舗情報及び地図情報を移動体通信ネットワーク３０を経由して無線により携帯端末装置１０に通知する（ステップＳ９）。ここまでが、情報サービスセンター５０の動作である。
【００３１】
ここからは、また、携帯端末装置１０の動作が再開することになる。
ここで、充電サービス店舗情報及び地図情報の通知を受けた携帯端末装置１０の制御装置１１は、この情報を表示装置１５で表示することができるか否かを判断する（ステップＳ１０）。すなわち、制御装置１１は、充電サービス店舗情報及び地図情報を無線通信装置１３により受信しようとする時に、電池残量検出装置１９により電池残量を検出する。そして、検出された電池残量が、移動体通信ネットワーク３０に接続する動作を実行するのに十分であるかどうかを判断する。
【００３２】
判断ステップＳ１０で、情報サービスセンター５０から送信された充電サービス店舗情報及び地図情報が表示装置１５で表示可能であると判断された場合は、制御装置１１は、無線通信装置１３により移動体通信ネットワーク３０に接続し、充電サービス店舗情報及び地図情報を取得する（ステップＳ１１）。
そして、取得した充電サービス店舗情報及び地図情報に基づいて、制御装置１１は、携帯端末装置１０に近い場所にある営業中の充電サービス店舗の所在を示す地図を表示装置１５上に表示する（ステップＳ１２）。
【００３３】
逆に、判断ステップＳ１０で、上記充電サービス店舗情報及び地図情報を表示装置１５で表示することが不可能であると判断された場合は、制御装置１１は、携帯端末装置１０の処理を終了する（ステップＳ１３）。表示不可能な場合とは、充電サービス店舗情報及び地図情報を無線通信装置１３により受信しようとする時に、移動体通信ネットワーク３０に接続するに十分な電池残量がない場合を意味している。
【００３４】
そして、制御装置１１は、情報端末８０から公衆網４０を介して充電サービス店舗情報及び地図情報を参照できるようにする（ステップＳ１４）。例えば、携帯端末装置１０と同じパスワードを情報端末８０に付与する等の処理を実行し、携帯端末装置１０と同一のアクセス権限を情報端末８０に付与する。
【００３５】
ここからは、情報端末８０の動作が始まる。
情報端末８０は、公衆網４０を介して情報サービスセンター５０にアクセスし（ステップＳ１５）、本人確認を受ける（ステップＳ１６）。すなわち、携帯端末装置１０と同じパスワードの入力により、情報端末８０のユーザが、携帯端末装置１０と同じであるという認証を情報サービスセンター５０から受ける。
【００３６】
ここで、情報端末８０は、最終交信時の充電サービス店舗情報及び地図情報を取得する（ステップＳ１７）。すなわち、情報端末８０は、情報サービスセンター５０に保存してある充電サービス店舗情報及び地図情報のうち、携帯端末装置１０が最後に交信した充電サービス店舗情報及び地図情報を取得する。そして、情報端末８０は、取得した充電サービス店舗情報及び地図情報を表示部に表示する（ステップＳ１８）。
【００３７】
従って、電池切れにより携帯端末装置１０が充電サービス店舗情報及び地図情報を表示することができない場合、及び、紛失など行方不明の場合にも、充電サービス店舗情報及び地図情報を表示させることができる。すなわち、任意の情報端末８０を用いて、情報サービスセンター５０に接続することで、携帯端末装置１０が最後に交信した地図情報を参照することができる。
【００３８】
以上より明らかなように、本実施の形態の通信システムによれば、携帯端末装置１０からＧＰＳ衛星２０による位置情報が情報サービスセンター５０に送られ、情報サービスセンター５０は店舗情報データベース６０及び地図情報データベース７０を検索する。そして、検索された店舗から携帯端末装置１０の存在場所に至る地図情報を情報サービスセンター５０内に保存し、携帯端末装置１０に返送する。
【００３９】
その後、この地図情報を携帯端末装置１０の表示装置１５に表示するようにしたので、電池残量が少なくなったとき、充電サービス店舗の所在場所を携帯端末装置１０において、迅速かつ的確に把握することが可能になる。このために短時間に電池充電が行えるので、携帯端末装置１０が使用不能になる状態を回避することができる。
【００４０】
また、検索された店舗から携帯端末装置１０に至る地図情報を情報サービスセンター５０内に保存することで、任意の情報端末８０から、この地図情報を参照することができる。このため、電池切れの場合においても、充電サービス店舗の所在場所を的確に把握することができる。
【００４１】
また、電池が切れたまま携帯端末装置１０の所在がわからなくなってしまった場合においても、任意の情報端末８０から情報サービスセンター５０内に保存された地図情報を参照することで、紛失場所を容易に推定することができる。
【００４２】
なお、上述した本実施の形態例に限らず、特許請求の範囲に記載された本発明の要旨を逸脱しない限り、適宜変更しうることは言うまでもない。
【図面の簡単な説明】
【００４３】
【図１】本実施の形態例の通信システムの構成例を示している。
【図２】携帯端末装置１０の構成を示すブロック図である。
【図３】本実施の形態における地図情報及び充電情報サービスシステムの処理動作を示すフローチャートである。
【符号の説明】
【００４４】
１…通信システム、１０…携帯端末装置、２０…ＧＰＳ衛星、３０…移動体通信ネットワーク、４０…公衆網、５０…情報サービスセンター、６０…店舗情報データベース、７０…地図情報データベース、８０…情報端末、１１…制御装置、１２…メモリ、１３…無線通信装置、１４…位置情報検出装置、１５…表示装置、１６…音声処理装置、１７…入力装置、１８…電池、１９…電池残量検出装置
【図１】
2009267517.tif 000003
【図２】
2009267517.tif 000004
【図３】
2009267517.tif 000005